(57)【特許請求の範囲】
【請求項１】
原稿読取手段と、印字手段と、操作手段とを備え、前記印字手段は前記操作手段の操作に応じて印字動作を行う画像形成装置において、
前記画像形成装置の操作側から見て裏面もしくは側面に、表示画面を有する表示装置が配置されるとともに、前記表示装置と前記画像形成装置とが接続及び分離可能な構造に形成され、
前記画像形成装置の筐体には、前記表示装置へ電力を供給する一方の電力コネクタ部と、前記表示装置へ制御信号や表示データを送る一方の信号コネクタ部と、前記表示装置を接続する一方の接続部とが設けられ、
前記表示装置の筐体には、前記画像形成装置から電力供給を受ける他方の電力コネクタ部と、前記画像形成装置から制御信号や表示データを受ける他方の信号コネクタ部と、前記画像形成装置に接続する他方の接続部とが設けられ、
前記画像形成装置の前記一方の接続部と前記表示装置の前記他方の接続部とを接続することで、前記電力コネクタ部同士及び前記信号コネクタ部同士も同時に接続される構造であることを特徴とする表示装置の接続構造を有する画像形成装置。
【請求項２】
原稿読取手段と、印字手段と、操作手段とを備え、前記印字手段は前記操作手段の操作に応じて印字動作を行う画像形成装置において、
前記画像形成装置の操作側から見て裏面もしくは側面に、表示画面を有する表示装置が配置されるとともに、前記表示装置と前記画像形成装置とが接続及び分離可能な構造に形成され、
前記画像形成装置の筐体には、前記表示装置から電力供給を受ける一方の電力コネクタ部と、前記表示装置からプリントデータを受ける一方の信号コネクタ部と、前記表示装置を接続する一方の接続部とが設けられ、
前記表示装置の筐体には、前記画像形成装置へ電力を供給する他方の電力コネクタ部と、前記画像形成装置へプリントデータを送る他方の信号コネクタ部と、前記画像形成装置に接続する他方の接続部とが設けられ、
前記画像形成装置の前記一方の接続部と前記表示装置の前記他方の接続部とを接続することで、前記電力コネクタ部同士及び前記信号コネクタ部同士も同時に接続される構造であることを特徴とする表示装置の接続構造を有する画像形成装置。
【請求項３】
請求項１または請求項２に記載の表示装置の接続構造を有する画像形成装置において、
前記一方の接続部は、前記画像形成装置の筐体に形成された左右一対の固定部材によって構成され、前記固定部材は、前記画像形成装置の筐体から突出形成された平板状の本体部と、前記本体部の先端側に形成されたテーパ部と、前記本体部の根元部分に形成された貫通穴とからなり、
前記他方の接続部は、前記固定部材を挿入する開口部と、前記開口部内に設けられた前記本体部の貫通穴に挿入係止される固定爪とからなることを特徴とする表示装置の接続構造を有する画像形成装置。
【請求項４】
請求項３に記載の表示装置の接続構造を有する画像形成装置において、
前記固定爪は、前記表示装置のフレーム部に配置された軸受部に回転自在に支持されたシャフトに固定されており、前記固定爪には圧縮バネの一端部が固定され、前記圧縮バネの他端部は前記フレーム部に設けられたバネ受け部に固定されていることを特徴とする表示装置の接続構造を有する画像形成装置。
【請求項５】
請求項４に記載の表示装置の接続構造を有する画像形成装置において、
前記シャフトの一端側は前記表示装置の筐体から外部に突出されており、この突出している前記シャフトの先端部に、前記シャフトと共に前記固定爪を回動させる解除レバーが設けられていることを特徴とする表示装置の接続構造を有する画像形成装置。
【請求項６】
請求項１から請求項５までのいずれか１項に記載の表示装置の接続構造を有する画像形成装置において、
前記表示装置は支持脚を備え、
前記表示装置と前記画像形成装置とを接続した状態において、前記支持脚が前記画像形成装置の下部に収納されることを特徴とする表示装置の接続構造を有する画像形成装置。
【請求項７】
請求項６に記載の表示装置の接続構造を有する画像形成装置において、
前記表示装置の支持脚の横幅は前記画像形成装置の横幅以下であることを特徴とする表示装置の接続構造を有する画像形成装置。
【請求項８】
請求項６に記載の表示装置の接続構造を有する画像形成装置において、
前記表示装置の支持脚の横幅は前記画像形成装置の奥行き幅以下であることを特徴とする表示装置の接続構造を有する画像形成装置。
【請求項９】
請求項６に記載の表示装置の接続構造を有する画像形成装置において、
前記表示装置の支持脚は所定の間隔を存して一対設けられていることを特徴とする表示装置の接続構造を有する画像形成装置。
【請求項１０】
請求項９に記載の表示装置の接続構造を有する画像形成装置において、
前記表示装置の支持脚の間隔は前記画像形成装置の横幅以下であることを特徴とする表示装置の接続構造を有する画像形成装置。
【請求項１１】
請求項９に記載の表示装置の接続構造を有する画像形成装置において、
前記表示装置の支持脚の間隔は前記画像形成装置の奥行き幅以下であることを特徴とする表示装置の接続構造を有する画像形成装置。
【請求項１２】
請求項６から請求項１１までのいずれか1項に記載の表示装置の接続構造を有する画像形成装置において、
前記表示装置の支持脚が前記画像形成装置の下部に収納された状態において、前記支持脚の先端部が前記画像形成装置の前面または側面から突出しないことを特徴とする表示装置の接続構造を有する画像形成装置。
【請求項１３】
請求項１から請求項５までのいずれか１項に記載の表示装置の接続構造を有する画像形成装置において、
前記表示装置は所定の間隔を存して設けられた一対の支持脚を備え、
前記表示装置と前記画像形成装置とを接続した状態において、前記画像形成装置が前記表示装置の支持脚間に収納されることを特徴とする表示装置の接続構造を有する画像形成装置。
【請求項１４】
請求項１３に記載の表示装置の接続構造を有する画像形成装置において、
前記表示装置の支持脚の間隔は前記画像形成装置の横幅以上であることを特徴とする表示装置の接続構造を有する画像形成装置。
【請求項１５】
請求項１３に記載の表示装置の接続構造を有する画像形成装置において、
前記表示装置の支持脚の間隔は前記画像形成装置の奥行き幅以上であることを特徴とする表示装置の接続構造を有する画像形成装置。
【請求項１６】
請求項１３から請求項１５までのいずれか１項に記載の表示装置の接続構造を有する画像形成装置において、
前記画像形成装置が前記表示装置の支持脚間に収納された状態において、前記支持脚の先端部が前記画像形成装置の前面または側面から突出しないことを特徴とする表示装置の接続構造を有する画像形成装置。
【発明の詳細な説明】
【技術分野】
【０００１】
本発明は、複合機やデジタル複写機等の画像形成装置に係り、より詳細には、画像形成装置に大型の表示装置を融合させた表示装置の接続構造を有する画像形成装置に関する。
【背景技術】
【０００２】
近時、複合機やデジタル複写機等の画像形成装置は、コンビニエンスストア（以下、「コンビニ」と略記する。）やスーパーマーケット（以下、「スーパー」と略記する。）を初めとする量販店などに多く設置されており、主に店を利用するユーザが原稿のコピーを取る場合などに利用されている。
【０００３】
ところで、近時のコンビニは、道路側（歩道側）に面した店舗部分が全面ガラス張りとなっており、歩道を歩いている人に店内の様子が一目で分かるように商品が陳列されている。例えば、図１４に示すように、入り口５００を介して広いスペース側のガラス窓５０１沿いに本棚５１０が設置されており、狭いスペース側のガラス窓５０２沿いに画像形成装置Ａが設置され、その画像形成装置Ａの店内奥側に図示しないレジカウンタが配置されている、といった配置パターンが一般的である。そして、このような配置構成において、従来は、歩道側のガラス窓５０１，５０２に、店外に向かってポスター等の紙広告５０５を直接貼付して、歩行者に対し各種の宣伝活動を行っていた。また、店内の陳列台の僅かな空きスペースに紙広告を貼付して、店内のお客に対する宣伝活動を行っていた。
【０００４】
このような宣伝活動では、広告を頻繁に入れ替えることは難しく、例えば、時間帯によってサラリーマンの通行が多い時間帯はサラリーマンに的を絞った宣伝広告を行い、昼間の主婦層や学生が多い時間帯には、主婦や学生に的を絞った宣伝広告を行う、といったきめ細かい宣伝活動が行えないといった問題があった。
【０００５】
また、歩道側を全面ガラス張りとし、このガラス面に広告を貼付する手法は、不動産会社等にも採用されており、ガラス面の壁一面に各種不動産情報の紙広告を貼付して通行人に提供している。しかし、この場合でも、賃貸契約や売買契約が成立した不動産情報の撤去や、新たな不動産情報の貼付等を従業員が手作業で行う必要があるため、撤去のし忘れや貼り忘れ等が頻繁に発生し、提供情報が必ずしも最新のものでない場合があるといった問題があった。
【０００６】
一方、上記したように、各店舗に設置されている画像形成装置は、もっぱら店を利用するユーザが原稿のコピーを取る場合にのみ利用されており、それ以外にはほとんど利用されていないのが現状である。そこで、このような画像形成装置の利用効率を向上させるための工夫が従来からされている（例えば、特許文献１〜３等参照）。
【０００７】
特許文献１には、店舗に壁面ディスプレイとプリンタとを接続して設置し、壁面ディスプレイに表示された広告情報に対応する印刷ボタンを押下すると、当該印刷ボタンが押下された広告情報をプリンタで印刷することのできる広告情報処理システムが記載されている。
【０００８】
また、特許文献２には、複写機である画像処理装置とキャッシュレジスタとがＬＡＮで接続されており、複写機の原稿台にセットされた掲示画像原稿を読み取ると、この掲示画像を複写機の操作画面に表示するとともに、ＬＡＮを経由してキャッシュレジスタの表示装置に表示する画像処理装置が記載されている。
【０００９】
さらに、特許文献３には、画像形成装置の底部または側面部に画像形成装置及び表示装置へ電力を供給する給電部を備え、給電部に画像形成装置と表示装置の両方を接続することにより、表示装置と画像形成装置の両方の使用が可能となり、画像形成装置または表示装置のいずれか一方を給電部から外しても、給電部と接続している装置は使用が可能となることが記載されている。
【特許文献１】特開２００２−３２９１３９号公報
【特許文献２】特開２００２−１５６８７３号公報
【特許文献３】特開２００２−５５５０１号公報
【発明の開示】
【発明が解決しようとする課題】
【００１０】
このように、画像形成装置と表示装置とを接続し、表示装置に表示されている広告情報を画像形成装置で印刷したり、画像形成装置から読み取った掲示画像を当該画像形成装置の操作画面やキャッシュレジスタの表示装置に表示することで、画像形成装置を利用して広告宣伝機能を高める工夫が従来から行われている。
【００１１】
しかし、特許文献１のものは、歩道側の壁面全体にディスプレイを設置し、このディスプレイと店内に設置されているプリンタとを通信ケーブルで接続する必要があるため、設置作業が大がかりとなり、また、店舗ごとに設置する必要があることから、設置作業が極めて煩雑であるといった問題があった。また、一旦設置した後は、レイアウトを臨機応変に変更したくても、簡単に行うことができないといった問題もあった。
【００１２】
また、特許文献２のものでは、広告情報を画像形成装置の操作画面やキャッシュレジスタの表示画面に表示することは可能であるが、これは店舗内にいる客に対しての宣伝広告であり、店舗前の歩道を歩いている人に対する宣伝広告とはなっていない。また、画像形成装置の操作画面やキャッシュレジスタの表示画面に表示するだけでは、店内の客もほとんど気が付かず、十分な宣伝効果が得られないといった問題があった。
【００１３】
また、特許文献３のものでは、給電部から外された装置は使用できないといった問題があった。
【００１４】
なお、店舗内に画像形成装置と大画面（例えば、５０インチ等）のディスプレイ装置とをケーブルで接続して設置することも行われているが、コンビニやスーパー等の店舗では、売り場面積を如何に広く確保するかが課題であり、このように２つの大型機器を並置することは、売り場面積が狭くなるためあまり普及していない。また、狭い店舗では設置場所すら確保できない場合もあり、店舗側にとって必ずしもメリットのあるシステムとはなっていないのが現状である。例えば、５２Ｖ型の液晶ディスプレイ（シャープ製  ＰＮ−５２５）の外観寸法は、高さ１２５４ｍｍ×横幅７４２mm×奥行９２ｍｍ、質量４４Kg、そして、液晶ディスプレイのスタンド（シャープ製  ＩＤ−ＤＳ０３Ｗ）の外観寸法は、横幅９１７mm×奥行８７０ｍｍ、さらにデジタル複合機（シャープ製  ＭＸ−３５００ＦＮ）の外観寸法は、高さ９５０ｍｍ×横幅６４５mm×奥行６７０ｍｍ、質量１２０Kg、である。ここで、液晶ディスプレイとデジタル複写機を直列に置くと、床占有面積は、横幅：液晶ディスプレイスタンド幅９１７ｍｍ×奥行：１５４０ｍｍ（デジタル複写機の奥行６７０ｍｍ＋液晶ディスプレイのスタンドの奥行８７０ｍｍ）必要である。
【００１５】
本発明はかかる問題点を解決すべく創案されたもので、その目的は、広い設置場所を必要とせず、かつ、設置作業が極めて簡単であるとともに、歩道側の歩行者に対して十分な宣伝効果を得ることのできる表示装置の接続構造を有する画像形成装置を提供することにある。
【課題を解決するための手段】
【００１６】
上記課題を解決するため、本発明の表示装置の接続構造を有する画像形成装置は、原稿読取手段と、印字手段と、操作手段とを備え、前記印字手段は前記操作手段の操作に応じて印字動作を行う画像形成装置において、前記画像形成装置の操作側から見て裏面もしくは側面に、表示画面を有する表示装置が配置されるとともに、前記表示装置と前記画像形成装置とが接続及び分離可能な構造に形成され、前記画像形成装置の筐体には、前記表示装置へ電力を供給する一方の電力コネクタ部と、前記表示装置へ制御信号や表示データを送る一方の信号コネクタ部と、前記表示装置を接続する一方の接続部とが設けられ、前記表示装置の筐体には、前記画像形成装置から電力供給を受ける他方の電力コネクタ部と、前記画像形成装置から制御信号や表示データを受ける他方の信号コネクタ部と、前記画像形成装置に接続する他方の接続部とが設けられ、前記画像形成装置の前記一方の接続部と前記表示装置の前記他方の接続部とを接続することで、前記電力コネクタ部同士及び前記信号コネクタ部同士も同時に接続される構造であることを特徴としている。また、本発明の表示装置の接続構造を有する画像形成装置は、原稿読取手段と、印字手段と、操作手段とを備え、前記印字手段は前記操作手段の操作に応じて印字動作を行う画像形成装置において、前記画像形成装置の操作側から見て裏面もしくは側面に、表示画面を有する表示装置が配置されるとともに、前記表示装置と前記画像形成装置とが接続及び分離可能な構造に形成され、前記画像形成装置の筐体には、前記表示装置から電力供給を受ける一方の電力コネクタ部と、前記表示装置からプリントデータを受ける一方の信号コネクタ部と、前記表示装置を接続する一方の接続部とが設けられ、前記表示装置の筐体には、前記画像形成装置へ電力を供給する他方の電力コネクタ部と、前記画像形成装置へプリントデータを送る他方の信号コネクタ部と、前記画像形成装置に接続する他方の接続部とが設けられ、前記画像形成装置の前記一方の接続部と前記表示装置の前記他方の接続部とを接続することで、前記電力コネクタ部同士及び前記信号コネクタ部同士も同時に接続される構造であることを特徴としている。また、前記画像形成装置と前記表示装置とは、分離した状態でそれぞれが個別に動作可能としている。本発明によれば、表示装置と画像形成装置を分離できるように構成したので、装置の搬入や移動時に運搬者の負担を軽減することができる。また、分離してもそれぞれの装置が独立して動作可能としたので、画像形成装置と表示装置のレイアウトの自由度を広げることができる。さらに、表示装置と画像形成装置を分離することで、それぞれのメンテナンスが行い易くなるといった利点もある。
【００１７】
また、本発明によれば、前記一方の接続部は、前記画像形成装置の筐体に形成された左右一対の固定部材によって構成され、前記固定部材は、前記画像形成装置の筐体から突出形成された平板状の本体部と、前記本体部の先端側に形成されたテーパ部と、前記本体部の根元部分に形成された貫通穴とからなり、前記他方の接続部は、前記固定部材を挿入する開口部と、前記開口部内に設けられた前記本体部の貫通穴に挿入係止される固定爪とからなる構成としている。また、前記固定爪は、前記表示装置のフレーム部に配置された軸受部に回転自在に支持されたシャフトに固定されており、前記固定爪には圧縮バネの一端部が固定され、前記圧縮バネの他端部は前記フレーム部に設けられたバネ受け部に固定されている構成としている。さらに、前記シャフトの一端側は前記表示装置の筐体から外部に突出されており、この突出している前記シャフトの先端部に、前記シャフトと共に前記固定爪を回動させる解除レバーが設けられた構成としている。
【００１８】
また、本発明によれば、前記表示装置は支持脚を備えており、前記表示装置と前記画像形成装置とを接続した状態において、前記表示装置の支持脚が前記画像形成装置の下部に収納されるように構成している。これにより、表示装置と画像形成装置とを接続したとき、表示装置の支持脚が画像形成装置からはみ出すことがないので、設置面積を最小限に抑えることができる。
【００１９】
この場合、前記表示装置の支持脚の横幅は、前記画像形成装置の横幅以下、または前記画像形成装置の奥行き幅以下とする。これにより、表示装置を平板状の１つの支持脚で支持している場合に、表示装置と画像形成装置とを接続したとき、表示装置の支持脚が画像形成装置からはみ出すことがない。
【００２０】
また、本発明によれば、前記表示装置の支持脚を所定の間隔を存して一対設けておき、前記表示装置と前記画像形成装置とを接続した状態において、前記表示装置の支持脚が前記画像形成装置の下部に収納されるように構成してもよい。これにより、表示装置と画像形成装置とを接続したとき、表示装置の支持脚が画像形成装置からはみ出すことがないので、設置面積を最小限に抑えることができる。
【００２１】
この場合、前記表示装置の支持脚の間隔は、前記画像形成装置の横幅以下（正確には、画像形成装置に設けられたキャスター間の隙間幅以下）、または前記画像形成装置の奥行き幅以下（正確には、画像形成装置に設けられたキャスター間の隙間幅以下）とする。これにより、表示装置を２本の支持脚で支持している場合に、表示装置と画像形成装置とを接続したとき、表示装置の支持脚が画像形成装置からはみ出すことがない。
【００２２】
また、本発明によれば、前記表示装置の支持脚を所定の間隔を存して一対設けておき、前記表示装置と前記画像形成装置とを接続した状態において、前記画像形成装置が前記表示装置の支持脚間に収納されるように構成してもよい。すなわち、前記表示装置の支持脚の間隔は、表示装置を画像形成装置の背面側に配置する場合には、画像形成装置の横幅以上とし、表示装置を画像形成装置の一側面に配置する場合には、画像形成装置の奥行き幅以上とする。これにより、表示装置と画像形成装置とを接続した状態において、表示装置の支持脚が画像形成装置の前後両側面または左右両側面を挟持する形になるので、表示装置を安定して配置することが可能となる。
【発明の効果】
【００２４】
本発明によれば、表示装置と画像形成装置を分離できるように構成したので、装置の搬入や移動時に運搬者の負担を軽減することができる。また、分離してもそれぞれの装置が独立して動作可能としたので、画像形成装置と表示装置のレイアウトの自由度を広げることができる。さらに、表示装置と画像形成装置を分離することで、それぞれのメンテナンスが行い易くなる。
【発明を実施するための最良の形態】
【００２５】
以下、本発明の実施の形態について、図面を参照して説明する。
【００２６】
図１（ａ）〜（ｃ）は、本発明に係る表示装置の接続構造を有する画像形成装置の一実施形態の外観斜視図である。
【００２７】
この画像形成装置Ａ１は、正面側から見た形状がコの字型に形成された胴内排紙構造の画像形成装置であり、胴内排紙口部５１の上部側に原稿押さえ蓋５２、原稿読取部５３及びスキャナー部５４が配置され、胴内排紙口部５１の下部側に画像形成部５５及び給紙部５６が配置されている。また、原稿読取部５３の正面側には、キーボード式及びタッチパネル式の操作部５８とが設けられている。
【００２８】
すなわち、この画像形成装置Ａ１は、長方形状に形成された背面側の筐体１１ａと右側面側の筐体１１ｂ、及び胴内排紙口部５１部分がコの字型に切り欠かれた略長方形状の正面側の筐体１１ｃと左側面側の筐体１１ｄとで囲まれているとともに、これら筐体上部が原稿押さえ蓋５２及び原稿読取部５３を含むスキャナー部５４によって覆われた構造となっている。また、筐体下部の四隅にはそれぞれキャスター４２が設けられており、画像形成装置を自由に押して移動できるようになっている。
【００２９】
この画像形成装置Ａ１は、原稿読取部５３に原稿を置く場合、胴内排紙口部５１の排紙トレイ５７から記録用紙を取り出す場合、給紙部５６に記録用紙を補給する場合は、画像形成装置の正面側から行うことが可能なフロントアクセスタイプとなっている。また、正面側筐体１１ｃの胴内排紙口部５１のすぐ下に前扉１２が設けられ、右側面側筐体１１ｂにも上下２箇所に横扉１３，１４が設けられており、前扉１２の下に給紙部５６の各給紙用カセット５６ａ，５６ｂが前側に引き出し可能に配置されている。そして、前扉１２を開けることにより、トナーの補給、感光体の交換、定着器や帯電器の修理や交換などのメンテナンスを行うことが可能となっている。また、詰まった記録用紙を用紙搬送路から除去する場合には、横扉１３，１４も必要に応じて開くようになっている。ただし、排紙トレイ５７を胴内排紙口部５１に配置する以外、その上部と下部に配置される各構成部は一例であり、この配置構成に限定されるものではない。
【００３０】
上記構成において、本実施形態では、画像形成装置Ａ１の操作側から見て裏面側の筐体（すなわち、操作部５８が設けられた原稿読取部５３の正面側から見て裏面側の筐体）である背面側筐体１１ａに、第１表示画面２２を外側に向けて大型の表示装置（ディスプレイ）２１が、画面長手方向を上下に向けて配置した状態で一体的に取り付けられている。これにより、画像形成装置Ａ１と大型ディスプレイ２１という２台の大型機器の設置スペースを、実質的に画像形成装置Ａ１の設置スペースに収めることが可能となる。また、画像形成装置Ａ１と大型ディスプレイ２１との接続コードも外部に露出することがないので、見かけ上もスッキリするとともに、接続コードを引っかけてしまうといった問題も発生しない。これにより、コンビニやスーパー等の狭い店舗においても、画像形成装置を従来から設置している場所に、本発明の表示一体型画像形成装置をほぼそのまま設置することが可能となるものである。
【００３１】
また、大型ディスプレイ２１は、その上部が背面側筐体１１ａより上方に突出するように配置されており、その突出部分の第１表示画面２２とは反対側の面に第２表示画面２３が配置されている。この第２表示画面２３には、その上に操作入力部としてのタッチパネル２３ａが配置されていてもよい。ただし、第２表示画面２３は必須ではないが、利用者の利便性を考慮すると設けておいた方が良い。また、上記実施例では、大型ディスプレイ２１の第１表示画面２２と第２表示画面２３とを一体としているが、それぞれ別体としてもよい。
【００３２】
図２は、上記構成の大型ディスプレイ２１の接続構造を有する画像形成装置Ａ１において、大型ディスプレイ２１と画像形成装置Ａ１とを分離した状態を示している。また、図３は、大型ディスプレイ２１の側面図である。
【００３３】
大型ディスプレイ２１は、ディスプレイ本体２１１を支持する左右一対の脚部３１，３１の上に載置固定されており、それぞれの脚部３１にはその前後にキャスター３２が設けられている。ディスプレイ本体２１１は、一対の脚部３１，３１の一方の端部近傍に載置固定されているが、図３に示すように、安定性を考慮して、少なくともキャスター３２よりは内側（すなわち、前後両キャスター３２，３２の間）に載置固定されている。また、左右一対の脚部３１，３１は、強度を確保するため、長手方向の中央部分で横桟３３によって一体的に連結されており、全体としてＨ型に形成されている。
【００３４】
また、画像形成装置Ａ１の底面側筐体１１ｅには、左右両縁部のそれぞれに、前後方向に沿って２個のキャスター４２，４２（すなわち、全体で４個のキャスター）が設けられている。ディスプレイ本体２１１の一対の脚部３１，３１は、これら４個のキャスター４２，４２，・・・によって支持されている画像形成装置Ａ１の下部空間（底面側筐体１１ｅと床面との間の空間）に収納され、その先端部３１ａ，３１ａは画像形成装置Ａ１の前面側または側面側から突出しない長さに設定されている。
【００３５】
すなわち、大型ディスプレイ２１は、図１に示すように、画像形成装置Ａ１の背面側に配置する場合の他、後述する図７に示すように、画像形成装置Ａ１の操作側から見て（すなわち、操作部５８が設けられた原稿読取部５３の正面側から見て）一側面側に配置する場合もある。従って、大型ディスプレイ２１を画像形成装置Ａ１の背面側筐体１１ａに配置したときには、脚部３１，３１の先端部３１ａ，３１ａが画像形成装置Ａ１の正面側筐体１１ｃから突出しないように、その長さが設定されている。また、大型ディスプレイ２１を画像形成装置Ａ１の一側面側（図７では左側面側筐体１１ｄ）に配置したときには、脚部３１，３１の先端部３１ａ，３１ａが画像形成装置Ａ１の他の側面側（右側面側筐体１１ｂ）から突出しないように、その長さが設定されている。
【００３６】
また、脚部３１，３１の間隔（正確には、左右キャスター３２，３２の外側の間隔）Ｌ１は、画像形成装置Ａ１の横幅以下（正確には、左右のキャスター４２，４２間の隙間幅Ｌ１１以下）、または、画像形成装置Ａ１の奥行き幅以下（正確には、前後のキャスター４２，４２間の隙間幅Ｌ１２以下）に設定されている。ただし、キャスター３２を脚部３１の外側面ではなく内側面に設ければ、上記脚部３１，３１の間隔Ｌ１は、正確には両脚部３１，３１の外側面間の間隔となる。これにより、大型ディスプレイ２１と画像形成装置Ａ１とを接続したとき、大型ディスプレイ２１の脚部３１，３１が画像形成装置Ａ１の下部空間（底面側筐体１１ｅと床面との間の空間）にスムーズに収納されるとともに、脚部３１，３１の先端部３１ａ，３１ａが画像形成装置Ａ１からはみ出すことがない。
【００３７】
また、大型ディスプレイ２１の第２表示画面２３側である背面側筐体２１ａには、画像形成装置Ａ１側から電力供給を受ける電力コネクタ部３５と、画像形成装置Ａ１側から表示制御等の信号を受ける信号コネクタ部３６とが設けられている。
【００３８】
一方、画像形成装置Ａ１の背面側筐体１１ａには、大型ディスプレイ２１へ電力供給を行う電力コネクタ部４５と、大型ディスプレイ２１へ表示制御等の信号を送る信号コネクタ部４６とが設けられ、画像形成装置Ａ１と大型ディスプレイ２１とを接続すると、画像形成装置Ａ１の電力コネクタ部４５と信号コネクタ部４６とがそれぞれ大型ディスプレイ２１の電力コネクタ部３５と信号コネクタ部３６とに接続されるようになっている。画像形成装置Ａ１への電力供給は、図示しない電源コードにより商用電力が供給されている。
【００３９】
なお、本実施形態では、画像形成装置Ａ１から大型ディスプレイ２１へ電力等を供給しているが、その逆に大型ディスプレイ２１から画像形成装置Ａ１へ電力等を供給するようにしてもよい。また、本実施形態では、図２に示すように画像形成装置Ａ１と大型ディスプレイ２１とを分離した状態において、それぞれ個別に動作可能としている。すなわち、画像形成装置Ａ１はコピーやファックスといった通常動作が可能であり、大型ディスプレイ２１はモニタとしての通常動作が可能である。この場合、画像形成装置Ａ１は、図示しない電源コードから電力供給を受けることにより単独で動作でき、大型ディスプレイ２１は、電力コネクタ部３５に別途図示しないコネクタを装着することにより動作可能としている。
【００４０】
また、画像形成装置Ａ１の背面側筐体１１ａには、大型ディスプレイ２１を固定するための左右一対の固定部材４７，４７が突出形成されており、これに対向する大型ディスプレイ２１の背面側筐体２１ａには、それぞれの固定部材４７を挿入係止するための開口部７１，７１が設けられており、この開口穴７１，７１内には、大型ディスプレイ２１の固定部材４７に挿入係止するための固定爪７２が設けられている。
【００４１】
図４及び図５は、上記固定部材４７と固定爪７２とによる画像形成装置Ａ１と大型ディスプレイ２１との接続構造を示している。以下、図４及び図５を参照して接続構造を説明する。
【００４２】
固定部材４７は、画像形成装置Ａ１の背面側筐体１１ａから突出している平板状の本体部４７ａを備えており、この本体部４７ａの先端側に楔状のテーパ部４７ｂが形成されている。また、本体部４７ａの根元部分には、固定爪７２を挿入係止するための貫通穴４７ｃが上下方向に貫通する形で形成されている。
【００４３】
一方、大型ディスプレイ２１の背面側筐体２１ａの開口部７１に対向配置された固定爪７２は、大型ディスプレイ２１の図示しないフレーム部に配置した軸受部７３に回転自在に支持されたシャフト７４に固定されている。固定爪７２には圧縮バネ７５の一端部７５ａが固定されており、圧縮バネ７５の他端部７５ｂは大型ディスプレイ２１のフレーム部に設けられたバネ受け部９１に固定されている。ただし、固定爪７２は、図４に示す水平状態では圧縮バネ７５が完全に縮退した状態となっており、むしろ圧縮バネ７５によってその水平状態が保持されている。そして、固定爪７２がこの状態から上方に回動すると、その回動によって伸張された圧縮バネ７５の圧縮力（圧縮復元力）が固定爪７２に作用して、固定爪７２がフレーム部側に（すなわち、図４では下方側に）付勢されるようになっている。
【００４４】
また、シャフト７４の一端側は大型ディスプレイ２１の左側面側筐体２１ｄから外部に突出しており、この突出しているシャフト７４の先端部７４ａには、シャフト７４と共に固定爪７２を回動させるための解除レバー７８が設けられている。
【００４５】
上記構成において、大型ディスプレイ２１を画像形成装置Ａ１に接続するには、画像形成装置Ａ１の背面側筐体１１ａと大型ディスプレイ２１の背面側筐体２１ａとを向き合わせ、大型ディスプレイ２１を画像形成装置Ａ１側へ移動させる。すると、画像形成装置Ａ１の背面側筐体１１ａから突出した固定部材４７が大型ディスプレイ２１の開口部７１から大型ディスプレイ２１内に進入し、対向配置されている固定爪７２の対向面７２ａに当接する（図５（ａ）参照）。ここで、固定爪７２の対向面７２ａはテーパ面に形成されている。そのため、固定爪７２は、進入してきた固定部材４７の先端面４７ｄによって対向面（テーパ面）７２ａが押し上げられるようにスライドして上方に回動する（図５（ｂ）参照）。そして、固定爪７２の爪先端部７２ｂが固定部材４７の先端面４７ｄを乗り越えると、爪先端部７２ｂが固定部材４７のテーパ部４７ｂ上をさらにスライドして上方に回動し（図５（ｃ）参照）、次に固定部材４７の本体部４７ａ上をスライドする。そして、固定爪７２の爪先端部７２ｂが固定部材４７の貫通穴４７ｃまで達すると、伸張していた圧縮バネ７５の収縮力によって固定爪７２が下方に回動し、貫通穴４７ｃ内に固定爪７２が挿入されて係止される（図５（ｄ）参照）。これにより、大型ディスプレイ２１と画像形成装置Ａ１とが接続される。このとき、大型ディスプレイ２１と画像形成装置Ａ１との電力コネクタ部３５，４５同士、及び、信号コネクタ部３６，４６同士も同時に接続される。また、大型ディスプレイ２１の脚部３１，３１は、画像形成装置Ａ１の下部空間（底面側筐体１１ｅと床面との間の空間）に収納される。
【００４６】
一方、このようにして一体化された大型ディスプレイ２１と画像形成装置Ａ１との接続を解除する場合には、大型ディスプレイ２１の左側面側筐体２１ｄに配置した解除レバー７８を下方に回動する。解除レバー７８の下方への回動により、固定爪７２は圧縮バネ７５の圧縮力に対抗してシャフト７４を中心に上方へ回動し、固定部材４７の貫通穴４７ｃから固定爪７２が上方に退避することで接続が解除されるので、この解除状態で大型ディスプレイ２１を画像形成装置Ａ１から引き離すことにより、大型ディスプレイ２１と画像形成装置Ａ１とを分離することができる。
【００４７】
図６は、上記構成の表示装置の接続構造を有する画像形成装置をコンビニに設置した状態の一例を示しており、（ａ）は斜視図、（ｂ）は平面図である。
【００４８】
すなわち、近時のコンビニは、道路側（歩道側）に面した店舗部分が全面ガラス張りの透明のガラス窓となっており、歩道を歩いている人に店内の様子が一目で分かるように商品が陳列されている。具体的には、入り口５００を介して広いスペース側のガラス窓５０１沿いに本棚５１０が配置され、狭いスペース側のガラス窓５０２沿いに画像形成装置Ａ１が設置されており、その画像形成装置Ａ１の店内奥側にレジカウンタ５０３が配置され、本棚５１０の店内奥側に各種商品棚５１１が配置されている、といった配置パターンが一般的である。この場合、画像形成装置Ａ１は、背面側に取り付けられた大型ディスプレイ２１の第１表示画面２２が外側（すなわち、店舗外の歩道側）を向くように配置する。これにより、大型ディスプレイ２１の第１表示画面２２が、道路側（すなわち、歩道側）のガラス窓５０２を介して店舗外の歩行者側に向くことになる。従って、この大型ディスプレイ２１の第１表示画面２２に広告情報を表示することで、店舗外の歩行者にインパクトのある宣伝広告を行うことが可能となる。この場合、第２表示画面２３には、歩道側に向かって設置されている第１表示画面２２に表示されている広告情報と同じ情報を表示してもよいし、あるいは、第１表示画面２２に表示されている広告情報に関連する情報（詳細情報等）を表示するようにしてもよい。これにより、第１表示画面２２の広告内容に興味を持った歩行者が店内に入ってきて画像形成装置Ａ１の前にくると、第２表示画面２３にその詳細情報が表示されているので、第２表示画面２３のタッチパネル若しくは画像形成装置Ａ１の操作部５８を操作することで、所望する情報の印刷等を行うことが可能となる。例えば、第１表示画面２２にクーポンの発券を行う情報が表示されており、これを見た客が店内に入って第２表示画面２３の詳細情報に表示されているクーポンの発券ボタンを操作（タッチ）すると、画像形成装置Ａ１がクーポン券を印刷して出力する、といったことが可能となる。
【００４９】
また、上記実施形態では、大型ディスプレイ２１を画像形成装置Ａ１の背面側に取り付けている場合について説明しているが、原稿の読み込みや排紙トレイからの用紙の取り出し、給紙カセットへの記録用紙の補給やメンテナンス等による各扉の開閉等に支障がなければ、例えば図７に示すように、画像形成装置Ａ１の一方の側面側筐体１１ｄに大型ディスプレイ２１を取り付けてもよい。なお、図７（ａ）は第２表示画面２３がある場合、同図（ｂ）は第２表示画面２３が無い場合を例示している。
【００５０】
図８は、図６に示す画像形成装置Ａ１をコンビニに設置した状態の一例を示している。この例では、入り口５００を介して狭いスペース側のガラス窓５０４沿いに、側面側に取り付けられた大型ディスプレイ２１の第１表示画面２２が外側（すなわち、店舗外の歩道側）を向くように、画像形成装置Ａ１をガラス窓５０４に対して横向きに設置している。すなわち、画像形成装置Ａ１の背面側を壁側５０５に向けて設置している。これは、ガラス窓５０４とレジカウンタ５０６との間に画像形成装置Ａ１の利用者の操作スペースが十分に確保できない場合に有効な設置形態であり、画像形成装置Ａ１の側面に大型ディスプレイ２１を取り付けることで、このような設置形態が可能となる。
【００５１】
＜大型ディスプレイ２１に設けられた脚部の他の実施例の説明＞
図９は、脚部の他の実施例を示している。
【００５２】
すなわち、大型ディスプレイ２１は、ディスプレイ本体２１１を支持する平板状の１枚の脚部３１Ｂの上に載置固定されており、その脚部３１Ｂには、左右両側のそれぞれにおいて、その前後にキャスター３２Ｂが設けられている。また、脚部３１Ｂの横幅（正確には、左右キャスター３２Ｂ，３２Ｂの外側の間隔）Ｌ２は、画像形成装置Ａ１の横幅以下（正確には、図２に示す左右のキャスター４２，４２間の隙間幅Ｌ１１以下）、または、画像形成装置Ａ１の奥行き幅以下（正確には、図２に示す前後のキャスター４２，４２間の隙間幅Ｌ１２以下）に設定されている。ただし、キャスター３２Ｂを、脚部３１Ｂの左右両側ではなく、脚部３１Ｂの左右両側近傍の４箇所に開口部を設け、それぞれの開口部にキャスター３２Ｂを配置するようにすれば、上記横幅Ｌ２は脚部３１Ｂ自体の横幅となる。これにより、大型ディスプレイ２１と画像形成装置Ａ１とを接続したとき、大型ディスプレイ２１の脚部３１Ｂが画像形成装置Ａ１の下部空間（底面側筐体１１ｅと床面との間の空間）にスムーズに収納される。その他の構成は、図２及び図３で示した脚部３１の構成と同じであるので、ここでは説明を省略する。
【００５３】
＜大型ディスプレイ２１に設けられた脚部のさらに他の実施例の説明＞
上記実施形態では、大型ディスプレイ２１の脚部３１，３１Ｂが画像形成装置Ａ１の下部に収納される実施例であったが、ここでは、大型ディスプレイ２１の脚部の間に画像形成装置Ａ１が配置される実施例について説明する。
【００５４】
図１０（ａ）〜（ｃ）は、本実施例の脚部を有する大型ディスプレイ２１の接続構造を有する画像形成装置Ａ１の外観斜視図、図１１は、大型ディスプレイ２１と画像形成装置Ａ１とを分離した状態の説明図（外観斜視図）である。
【００５５】
本実施例では、大型ディスプレイ２１は、ディスプレイ本体２１１を支持する左右一対の脚部３１Ｃ，３１Ｃが、ディスプレイ本体２１１の左右両側下端部に固定されており、それぞれの脚部３１Ｃにはその前後にキャスター３２が設けられている。また、脚部３１Ｃ，３１Ｃ間の隙間幅（間隔）Ｌ３は、画像形成装置Ａ１の横幅Ｌ１３以上、または、画像形成装置Ａ１の奥行き幅Ｌ１４以上に設定されている。これにより、大型ディスプレイ２１と画像形成装置Ａ１とを接続したとき、大型ディスプレイ２１の脚部３１Ｃ，３１Ｃの間に画像形成装置Ａ１がスムーズに収納される。なお、大型ディスプレイ２１の脚部３１Ｃ，３１Ｃ間に画像形成装置Ａ１が配置される以外は、画像形成装置Ａ１と大型ディスプレイ２１との接続構造を示す図２〜図５、及び画像形成装置Ａ１と大型ディスプレイ２１との他の配置構成を示す図７と同じ構成であるので、ここでは説明を省略する。
【００５６】
＜本実施形態の大型ディスプレイ２１の接続構造を有する画像形成装置Ａ１のシステム構成の説明＞
本実施形態では、画像形成装置Ａ１をデジタル複合機に適用した場合について説明する。
【００５７】
図１２は、大型ディスプレイ２１を含むデジタル複合機（画像形成装置）Ａ１の電気的構成の概略と、これを管理する表示情報管理システムとの接続関係を示している。
【００５８】
まず、このデジタル複合機Ａ１の電気的構成について説明する。
【００５９】
図１２に示すように、デジタル複合機Ａ１は、スキャナー部５４、操作部５８、画像形成部５５、機器制御部５９、ＦＡＸモデム６０、通信部６１、管理部６２、ハードディスク（ＨＤ）６３、及び電源ユニット６４を備えている。すなわち、本実施形態のデジタル複写機Ａ１は、ＦＡＸとネットワークプリンタの複合機となっている。
【００６０】
スキャナー部５４は、ＣＣＤ５４ａや原稿検知センサ５４ｂなどを備えている。
【００６１】
操作部５８は、タッチパネルやメカキーである各種機能ボタン等からなる入力部５８ａと、液晶等の表示パネルからなる表示部５８ｂとを備えている。
【００６２】
画像形成部５５は、印字データを展開する作業用のメモリ５５ｂを有する画像処理部５５ａ、外部からきたデータを機器内で保護するためにデータを暗号化してハードディスク６３に一時的に退避（保存）させるとともに、ハードディスク６３に退避させているデータを復号化して画像処理部５５ａに渡す暗号化／復号化部５５ｃ、レーザスキャニングユニット（ＬＳＵ）を有する印字部５５ｄなどを備えている。ここで、印字部５５ｄは電子写真方式に限定されず、インクジェット方式や熱転写方式等様々な形態に適用可能である。
【００６３】
機器制御部５９は、機器全体の動作制御を管理する部分であり、ＣＰＵ、ＲＯＭ、ＲＡＭ等で構成されており、表示制御としては、表示部５８ｂの表示制御の他、大型ディスプレイ２１の第１表示画面２２及び第２表示画面２３の表示制御も行うようになっている。
【００６４】
管理部６２は、機器の動作に必要な情報を管理する部分であり、例えば送受信で言えば、メールアドレスの管理やＦＡＸの電話番号の管理などを行う。また、ハードディスク６３に一時的に退避したデータの位置情報（アドレス情報）の管理や、プリンタモードで動作している場合に、当該プリンタへ出力するデータの位置情報の管理など、機器の動作に必要な情報を一括管理している。
【００６５】
また、本実施形態では、管理部６２は、ハードディスク６３に記憶した各種表示データを大型ディスプレイ２１の第１表示画面２２及び第２表示画面２３に表示する順序、時間等も管理している。
【００６６】
通信部６１は、ネットワークＮ１との間で双方向通信を行う通信部であり、本実施形態では、受信したデータを機器が扱えるデータに展開するためのメモリを備えたプリンタボードとなっている。従って、通信部６１では、受信したデータをこのメモリ上で展開しながら、作業用のメモリ５５ｂに順次転送する。
【００６７】
上記構成のデジタル複合機Ａ１において、ＦＡＸモデム６０には、電話回線Ｎ２を介してファクシミリ装置８１が接続可能となっている。また、通信部６１には、ＬＡＮ等のネトワークＮ１を介して端末装置（パソコン）８２、サーバ８３等と接続可能となっている。
【００６８】
端末装置８２、サーバ８３等からネットワークＮ１を介してデジタル複合機Ａ１へ送付されたデータ（動画、静止画、テキスト等）をハードディスク６３へ記憶し、管理部６２に記憶されている管理情報に基づいて大型ディスプレイ２１の第１表示画面２２及び第２表示画面２３に表示させることもできる。
【００６９】
大型ディスプレイ２１の第１表示画面２２及び第２表示画面２３に表示する各種情報、表示順序、表示時間等の管理を管理部６２に替えてサーバ８３で管理させることもできる。
【００７０】
商用電源９０からの電力は、画像形成装置Ａ１に設けられた図示しない電源コードにより画像形成装置Ａ１の電源ユニット６４に供給され、この電源ユニット６４から画像形成装置Ａ１の各部へ電力が供給される。商用電源９０から画像形成装置Ａ１の電源ユニット６４へ供給される電力ラインは、途中で分岐されて大型ディスプレイ２１の電源ユニット２４へ直接供給され、この電源ユニット２４から大型ディスプレイ２１の各部へ電力が供給される。
【００７１】
この場合には、画像形成装置Ａ１の機器制御部５９と大型ディスプレイ２１の通信部２６との間で信号の送受信が行なわれている。すなわち、ネットワークＮ１に接続された端末装置８２やサーバ８３から送られてきたデータは、通信部６１を介して機器制御部５９へ送られ、機器制御部５９から大型ディスプレイ２１の通信部２６を介して機器制御部２５へ送られる。そして、機器制御部２５が、送られてきたデータを第１表示画面２２及び第２表示画面２３に画像表示するようになっている。
【００７２】
上記説明では、画像形成装置Ａ１から大型ディスプレイ２１へ電力及び表示データを供給する構成としているが、大型ディスプレイ２１から画像形成装置Ａ１へ電力及びプリントデータを供給してもよい。この場合、商用電源９０からの電力は、大型ディスプレイ２１に設けられた図示しない電源コードにより大型ディスプレイ２１の電源ユニット２４に供給され、この電源ユニット２４から大型ディスプレイ２１の各部へ電力が供給される。商用電源９０から大型ディスプレイ２１の電源ユニット２４へ供給される電力ラインは、途中で分岐されて画像形成装置Ａ１の電源ユニット６４へ直接供給され、この電源ユニット６４から画像形成装置Ａ１の各部へ電力が供給される。
【００７３】
この場合には、大型ディスプレイ２１の機器制御部２５と画像形成装置Ａ１の通信部６１との間で信号の送受信が行なわれている。すなわち、ネットワークＮ１に接続された端末装置８２やサーバ８３から送られてきたデータは、大型ディスプレイ２１の通信部２６を介して機器制御部２５へ送られ、機器制御部２５から画像形成装置Ａ１の通信部６１を介して機器制御部５９へ送られる。そして、機器制御部５９から画像形成装置Ａ１各部へ制御信号等のデータが送られるようになっている。
【００７４】
なお、画像形成装置Ａ１と大型ディスプレイ２１とが分離している場合の接続関係は、図１３示す構成となる。すなわち、画像形成装置Ａ１の機器制御部５９と大型ディスプレイ２１の通信部２６との間の接続は切断されている。従って、この場合には、ネットワークＮ１に接続された端末装置８２やサーバ８３から送られてきたデータは、大型ディスプレイ２１の通信部２６を介して機器制御部２５へ送られ、大型ディスプレイ２１の機器制御部２５が、送られてきたデータを第１表示画面２２及び第２表示画面２３に画像表示するようになっている。
【００７５】
また、大型ディスプレイ２１の電力は、商用電源９０から大型ディスプレイ２１の電源ユニット２４へ直接供給される。これにより、画像形成装置Ａ１と大型ディスプレイ２１とが分離している場合でも、画像形成装置Ａ１と大型ディスプレイ２１のそれぞれが動作可能となる。
【００７６】
なお、画像形成装置Ａ１と大型ディスプレイ２１とを分離した場合、画像形成装置Ａ１の機器制御部５９と大型ディスプレイ２１の通信部２６との間は直接繋がっていないが、ネットワークＮ１を通じて接続するようにしてもよい。
【図面の簡単な説明】
【００７７】
【図１】本発明の表示一体型画像形成装置の一実施形態の外観斜視図である。
【図２】大型ディスプレイと画像形成装置とを分離した状態を示す外観斜視図である。
【図３】大型ディスプレイの脚部の側面図である。
【図４】固定部材と固定爪とによる画像形成装置と大型ディスプレイとの接続構造を示す概略斜視図である。
【図５】固定部材と固定爪との接続の遷移状態を示す説明図である。
【図６】本実施形態の大型ディスプレイの接続構造を有する画像形成装置をコンビニに設置した状態の一例を示しており、（ａ）は斜視図、（ｂ）は平面図である。
【図７】画像形成装置の一方の側面側筐体に大型ディスプレイを取り付けた状態を示す斜視図である。
【図８】側面側筐体に大型ディスプレイを取り付けた画像形成装置をコンビニに設置した状態の一例を示す平面図である。
【図９】脚部の他の実施例を示す大型ディスプレイの斜視図である。
【図１０】さらに他の実施例の脚部を有する大型ディスプレイの接続構造を有する画像形成装置の外観斜視図である。
【図１１】大型ディスプレイと画像形成装置とを分離した状態を示す外観斜視図である。
【図１２】大型ディスプレイを含むデジタル複合機（画像形成装置）の電気的構成の概略と、これを管理する表示情報管理システムとの接続関係を示すシステム構成図である。
【図１３】大型ディスプレイを含むデジタル複合機（画像形成装置）の電気的構成の概略と、これを管理する表示情報管理システムとの接続関係を示すシステム構成図である。
【図１４】コンビニの一般的な配置構成を示す説明図である。
【符号の説明】
【００７８】
Ａ１  画像形成装置
１１ａ  背面側筐体
１１ｂ  右側面側筐体
１１ｃ  正面側筐体
１１ｄ  左側面側筐体
２１  表示装置（大型ディスプレイ）
２１ａ  背面側筐体
２１ｄ  左側面側筐体
２２  表示画面（第１表示画面）
２３  第２表示画面
２３ａ  タッチパネル
２４  電源ユニット
２５  機器制御部
２６  通信部
３１，３１Ｂ，３１Ｃ  脚部（支持脚）
３２，４２  キャスター
３３  横桟
３５，４５  電力コネクタ部
３６，４６  信号コネクタ部
４７  固定部材
４７ａ  本体部
４７ｂ  テーパ部
４７ｃ  貫通穴
４７ｄ  先端面
５１  胴内排紙口部
５２  原稿押さえ蓋
５３  原稿読取部
５４  スキャナー部
５４ａ  ＣＣＤ
５４ｂ  原稿検知センサ
５５  画像形成部
５５ａ  画像処理部
５５ｂ  メモリ
５５ｃ  暗号化／復号化部
５５ｄ  印字部
５６  給紙部
５７  排紙トレイ
５８  操作部
５８ａ  入力部
５８ｂ  表示部
５９  表示部
６０  ＦＡＸモデル
６１  通信部
６２  管理部
６３  ハードディスク（ＨＤ）
６４  電源ユニット
７１  開口部
７２  固定爪
７２ａ  対向面
７２ｂ  爪先端部
７３  軸受部
７４  シャフト
７５  圧縮バネ
７８  解除レバー
８１  ファクシミリ装置
８２，８３  端末装置（パソコン）
８４  インターネットＦＡＸ
９０  商用電源
９１  バネ受け部
２１１  ディスプレイ本体
５０１，５０２  ガラス窓
５０３  レジカウンタ
５０５  壁
５０６  レジカウンタ
５１０  本棚
５１１  商品棚
Ｎ１  ネットワーク
Ｎ２  電話回線
【図１】
0004637212.tif 000002
【図２】
0004637212.tif 000003
【図３】
0004637212.tif 000004
【図４】
0004637212.tif 000005
【図５】
0004637212.tif 000006
【図６】
0004637212.tif 000007
【図７】
0004637212.tif 000008
【図８】
0004637212.tif 000009
【図９】
0004637212.tif 000010
【図１０】
0004637212.tif 000011
【図１１】
0004637212.tif 000012
【図１２】
0004637212.tif 000013
【図１３】
0004637212.tif 000014
【図１４】
0004637212.tif 000015